(57)【要約】本発明は、ローカルユーザによって送信された物理層のＴＤＭデータをデータリンク層のデータに転換し、データリンク層データのフォーマットを判定し、異なるフォーマットのデータリンク層データに対して対応する前処理操作を行い、前処理された異なるフォーマットのデータに対してＰＷパッケージをして、ＰＷラベルを加えてから相手側ＰＥに送信することと、相手側ＰＥによって送信されたＰＷデータパッケージの表層ＰＷラベルを除去してから、ＰＷパケットの中のデータのフォーマットを判定し、異なるデータフォーマットによってＰＷパケットに対して対応する解凍操作を行うことと、解凍された異なるフォーマットのデータを対応するデータリンク層データに転換し、さらに物理層のＴＤＭデータに転換してからローカルユーザに伝送することとが含まれる方法を特徴とする時間分割多重ＴＤＭデータ伝送を実現する方法を開示している。本発明はさらに、ＴＤＭデータ伝送を実現する装置も開示している。該方法および装置を用い、ＰＳＮにおいて、ＴＤＭ業務をシミュレーションする目的を実現でき、既存のＰＷＥ３システムの機能をさらに完全化にすることができる。【選択図】図２
2013516804.tif 000002
【特許請求の範囲】
【請求項１】
時間分割多重ＴＤＭデータ伝送を実現する方法であって、
ローカルユーザによって送信された物理層のＴＤＭデータをデータリンク層のデータに転換して、データリンク層データのフォーマットを判定し、異なるフォーマットのデータリンク層データに対して対応する前処理操作を実行し、前処理操作済みの異なるフォーマットのデータに対して擬似ワイヤＰＷパッケージをして、さらにＰＷラベルを加えてから相手側通信事業者のエッジ装置ＰＥに送信することと、
相手側ＰＥによって送信されたＰＷデータパッケージの表層ＰＷラベルを除去してから、ＰＷパケットにおけるデータのフォーマットを判定し、異なるデータフォーマットによってＰＷパケットに対して対応する解凍操作を行い、解凍済みの異なるフォーマットのデータを対応するデータリンク層データに転換し、さらに物理層のＴＤＭデータに転換してからローカルユーザに伝送することと、
を含むことを特徴とする時間分割多重ＴＤＭデータ伝送を実現する方法。
【請求項２】
前記転換によって得られたデータリンク層データのフォーマットは、
通常のＴＤＭデータ、ＰＯＳに基づくポイントツーポイントプロトコルＰＰＰ／ハイレベルデータリンク制御ＨＤＬＣデータ、または非同期伝送モードＡＴＭ逆多重化技術ＩＭＡに基づくＡＴＭセルを含むことを特徴とする請求項１に記載のＴＤＭデータ伝送を実現する方法。
【請求項３】
前記転換によって得られたデータリンク層データはＰＯＳに基づくＰＰＰ／ＨＤＬＣデータである場合、
前記異なるフォーマットのデータリンク層データに対して対応する前処理操作、即ち、データのＨＤＬＣフレームフォーマットを除去し、ＰＰＰメッセージを得る操作を実行することを特徴とする請求項２に記載のＴＤＭデータ伝送を実現する方法。
【請求項４】
前記転換によって得られたデータリンク層データはＩＭＡに基づくＡＴＭセルである場合、
前記異なるフォーマットのデータリンク層データに対して対応する前処理操作を行い、即ち、セルヘッダーチェックサムとペイロードスクランブルの機能を実現するように、ＡＴＭセルに対して伝送収束ＴＣ層の処理を実行することを特徴とする請求項２に記載のＴＤＭデータ伝送を実現する方法。
【請求項５】
前記前処理によって得られた異なるフォーマットのデータに対してＰＷパッケージをすることは、
ＰＰＰメッセージを終了し、ＰＰＰメッセージにおけるネットワークプロトコルＩＰパケットを抽出し、ＩＰパケットに対して、ＰＷパッケージをすること、または、ＰＰＰメッセージに対して直接ＰＷパッケージをすることであることを特徴とする請求項３に記載のＴＤＭデータ伝送を実現する方法。
【請求項６】
前記前処理によって得られた異なるフォーマットのデータに対してＰＷパッケージをすることは、
データに対してセルカスケードと仮想回線ＶＣ交換操作を実行してから、ＰＷパッケージをすることであることを特徴とする請求項４に記載のＴＤＭデータ伝送を実現する方法。
【請求項７】
前記転換によって得られたデータリンク層のデータは通常のＴＤＭデータである場合、
前記異なるフォーマットのデータリンク層データに対して、対応する前処理操作をして、前処理操作された異なるフォーマットのデータをＰＷパッケージし、即ち、ＴＤＭデータに対して直接ＰＷパッケージ操作を実行することを特徴とする請求項２に記載のＴＤＭデータ伝送を実現する方法。
【請求項８】
ＴＤＭデータ伝送を実現する装置であって、
該装置は、
アップリンクにおいて、ローカルユーザによって送信された物理層のＴＤＭデータをデータリンク層データに転換し、データ転換モジュールに伝送することと、ダウンリンクにおいて、データ転換モジュールによって送信されたデータリンク層データを物理層のＴＤＭデータに転換して、ローカルユーザに伝送することとに用いられる物理層処理モジュールと、
アップリンクにおいて、物理層処理モジュールによって送信されたデータリンク層データのフォーマットを判定し、異なるフォーマットのデータリンク層データに対して対応する前処理操作を実行して、得られたデータをパッケージ解凍モジュールに伝送することと、ダウンリンクにおいて、パッケージ解凍モジュールによって送信された解凍済みの異なるフォーマットのデータを対応するデータリンク層データに転換し、物理層処理モジュールに伝送することとに用いられるデータ転換モジュールと、
アップリンクにおいて、データ転換モジュールによって送信された前処理操作された異なるフォーマットのデータ対してＰＷパッケージ操作を実行して、ＰＷパケットを交換モジュールに伝送することと、ダウンリンクにおいて、交換モジュールによって送信されたＰＷパケットにおけるデータのフォーマットを判定し、異なるデータフォーマットによってＰＷパケットに対して対応する解凍操作を実行して、解凍されたデータをデータ転換モジュールに伝送することとに用いられるパッケージ解凍モジュールと、
アップリンクにおいて、パッケージ解凍モジュールによって送信されたＰＷパケットに対してＰＷラベルを加えて、相手側ＰＥに伝送することと、ダウンリンクにおいて、相手側ＰＥによって送信されたＰＷパケットの表層のＰＷラベルを除去して、ＰＷラベルが除去されたパケットをパッケージ解凍モジュールに伝送することとに用いられる交換モジュールと、
を含むことを特徴とするＴＤＭデータ伝送を実現する装置。
【請求項９】
前記転換によって得られたデータリンク層データのフォーマットは、通常のＴＤＭデータ、ＰＯＳに基づくＰＰＰ／ＨＤＬＣデータ、又はＩＭＡに基づくＡＴＭセルを含むことを特徴とする請求項８に記載のＴＤＭデータ伝送を実現する装置。
【発明の詳細な説明】
【技術分野】
【０００１】
本発明は通信分野のエンドツーエンドの擬似ワイヤエミュレーション（Ｐｓｅｕｄｏ  Ｗｉｒｅ  Ｅｍｕｌａｔｉｏｎ  Ｅｄｇｅ−Ｔｏ−Ｅｄｇｅ、ＰＷＥ３）技術に係り、特に、ＰＷＥ３に基づき、時間分割多重（ＴＤＭ）データ伝送を実現する方法及び装置に関する。
【背景技術】
【０００２】
イーサネット（登録商標）はその良好な開放性、幅広い適用性、及び低い価格などの特徴によって、通信分野およびプロセス制御分野における中上層の情報管理および通信を次第に独占しているが、例えばＴＤＭ、非同期伝送モード（ＡＴＭ）、フレーム中継（ＦＲ）などのような電気回路に基づく伝統的な通信事業者の既存サービスも高い利用価値があり、ユーザ側もこれらのサービスによって、その業務をサポートする必要がある。この課題を解決するための一番簡単な方法はネットワークプロトコル（ＩＰ）をイーサネット（登録商標）に融合させることである。ＰＷＥ３技術の提出により、通信事業者の既存の上記利用価値のあるサービスは、例えばＩＰ／マルチプロトコルラベルスイッチング（ＭＰＬＳ）ネットワークのような融合された基幹ネットワークに移転されて、ＩＰに基づく新型イーサネット（登録商標）の必要に満足することができる。
【０００３】
ＰＷＥ３技術はパケット交換ネットワーク（ＰＳＮ）において、様々なポイントツーポイント業務をシミュレーションする仕組みであり、シミュレーションされた業務は、ＴＤＭネットワーク、ＡＴＭネットワーク、ＦＲネットワーク又はイーサネット（登録商標）など様々なネットワークであってもよい。ＰＷＥ３技術は、ＰＳＮにおける、擬似ワイヤ（Ｐｓｅｕｄｏ  Ｗｉｒｅ、ＰＷ）と言われるトンネル機構シミュレーション業務の必要な属性を利用する。通信事業者はＰＷＥ３技術を用い、すべての伝送業務を、ＩＰネットワード又はＭＰＬＳネットワード等のような融合されたネットワークに移転することができる。ユーザの立場から見れば、ＰＷＥ３技術が、一種の専用のリンク又は電気回路をシミュレーションすると考えてもよい。
【０００４】
但し、既存のＰＷＥ３システムはＴＤＭデータ伝送の機能を実現できていなく、即ち、既存のＰＷＥ３システムにおいて、ＰＳＮでＴＤＭ業務をシミュレーションすることができない課題が存在している。
【発明の概要】
【発明が解決しようとする課題】
【０００５】
上記課題を鑑みて、本発明は、ＰＳＮにおいてＴＤＭ業務をシミュレーションすることができるＴＤＭデータ伝送の実現方法及び装置を提供することを主な目的とする。
【課題を解決するための手段】
【０００６】
上記目的を達成するために、本発明に係わる技術案は以下のとおりである。
ローカルユーザから送信された物理層のＴＤＭデータをデータリンク層のデータに転換し、データリンク層データのフォーマットを判定し、異なるフォーマットのデータリンク層データに対して対応する前処理操作を行う。前処理された異なるフォーマットのデータに対してＰＷパッケージをして、ＰＷラベルを加えてから相手側ＰＥに送信する。
【０００７】
相手側ＰＥによって送信されたＰＷパケットの表層ＰＷラベルを除去してから、ＰＷパケットにおけるデータのフォーマットを判定し、異なるデータフォーマットによってＰＷパケットに対して対応する解凍操作を行う。解凍によって得られた異なるフォーマットのデータを対応するデータリンク層データに転換し、さらに物理層のＴＤＭデータに転換してからローカルユーザに伝送する。
【０００８】
ここで、前記転換によって得られたデータリンク層データのフォーマットは、通常のＴＤＭデータ、ＰＯＳに基づくポイントツーポイントプロトコル（ＰＰＰ）／ハイレベルデータリンク制御（ＨＤＬＣ）データまたは非同期伝送モードＡＴＭ逆多重化技術（ＩＭＡ）に基づくＡＴＭセルを含む。
【０００９】
ここで、前記転換によって得られたデータリンク層データはＰＯＳに基づくＰＰＰ／ＨＤＬＣデータである場合、
前記異なるフォーマットのデータリンク層データに対して対応する前処理操作を行い、即ち、データのＨＤＬＣフレームフォーマットを除去し、ＰＰＰメッセージを得る。
【００１０】
ここで、前記転換によって得られたデータリンク層データはＩＭＡに基づくＡＴＭセルである場合、
前記異なるフォーマットのデータリンク層データに対して対応する前処理操作を行い、即ち、セルヘッダーチェックサムとペイロードスクランブルの機能を実現するように、ＡＴＭセルに対して伝送収束（ＴＣ）層の処理を行う。
【００１１】
ここで、前記前処理された異なるフォーマットのデータに対してＰＷパッケージをすることは、具体的には、
ＰＰＰメッセージを終了し、ＰＰＰメッセージの中のネットワークプロトコルＩＰパケットを抽出し、ＩＰパケットに対してＰＷパッケージをすること、または、
ＰＰＰメッセージに対して直接ＰＷパッケージをすることである。
【００１２】
ここで、前記前処理された異なるフォーマットのデータに対してＰＷパッケージをすることは、
データに対してセルカスケードと仮想回線のＶＣ交換操作をしてから、ＰＷパッケージをすることである。
【００１３】
上記技術案において、前記転換によって得られたデータリンク層のデータは通常のＴＤＭデータである場合、
前記異なるフォーマットのデータリンク層データに対して、対応する前処理操作をする。前処理された異なるフォーマットのデータをＰＷパッケージし、即ち直接ＴＤＭデータに対してＰＷパッケージ操作を実行する。
【００１４】
本発明は、さらに、ＴＤＭデータ伝送を実現する装置を提供し、該装置は、物理層処理モジュールと、データ転換モジュールと、パッケージ解凍モジュールと、交換モジュールとを含む。
【００１５】
前記物理層処理モジュールは、アップリンクにおいて、ローカルユーザから送信された物理層ＴＤＭデータをデータリンク層データに転換し、データ転換モジュールに伝送することと、ダウンリンクにおいて、データ転換モジュールによって送信されたデータリンク層データを物理層ＴＤＭデータに転換し、ローカルユーザに送信することに用いられる。
【００１６】
前記データ転換モジュールは、アップリンクにおいて、物理層処理モジュールによって送信されたデータリンク層データのフォーマットを判定し、異なるフォーマットのデータリンク層データに対して対応する前処理操作を実行して得られたデータをパッケージ解凍モジュールに伝送することと、ダウンリンクにおいて、パッケージ解凍モジュールによって送信された解凍済みの異なるフォーマットのデータを対応するデータリンク層データに転換し、物理層処理モジュールに伝送することとに用いられる。
【００１７】
前記パッケージ解凍モジュールは、アップリンクにおいて、データ転換モジュールによって送信された、前処理された異なるフォーマットのデータ対してＰＷパッケージ操作をして、ＰＷパケットを交換モジュールに伝送することと、ダウンリンクにおいて、交換モジュールによって送信されたＰＷパケットの中のデータのフォーマットを判定し、異なるフォーマットによってＰＷパケットに対して対応する解凍操作を実行して、解凍されたデータをデータ転換モジュールに伝送することとに用いられる。
【００１８】
前記交換モジュールは、アップリンクにおいて、パッケージ解凍モジュールによって送信されたＰＷパケットに対してＰＷラベルを加えて、相手側ＰＥに伝送することと、ダウンリンクにおいて、相手側ＰＥによって送信されたＰＷパケットの表層のＰＷラベルを除去して、ＰＷラベルが除去されたパケットをパッケージ解凍モジュールに伝送することとに用いられる。
【００１９】
ここで、前記転換によって得られたデータリンク層データのフォーマットは、一般のＴＤＭデータ、ＰＯＳに基づいたＰＰＰ／ＨＤＬＣデータ又はＩＭＡに基づいたＡＴＭセルが含まれる。
【発明の効果】
【００２０】
本発明によるＴＤＭデータ伝送を実現する方法及び装置は、ローカルユーザによって送信された物理層のＴＤＭデータをデータリンク層データに転換し、データリンク層データのフォーマットを判定して、異なるフォーマットのデータリンク層データに対して対応する前処理操作を実行することと、前処理された異なるフォーマットのデータに対してＰＷパッケージをして、ＰＷラベルを加えてから相手側ＰＥに伝送することと、相手側ＰＥによって送信されたＰＷパケットの表層のＰＷラベルを除去してからＰＷパケットにおけるデータのフォーマットを判定し、異なるデータフォーマットによってＰＷパケットに対して対応する解凍操作をすることと、解凍された異なるフォーマットのデータを対応するデータリンク層データに転換し、さらに物理層のＴＤＭデータに転換してからローカルユーザに伝送することを含む。本発明は、ＰＷＥ３におけるＰＷパッケージ技術およびＰＷを介してデータメッセージを伝送するなどの技術によって、ＰＳＮにおいて、ＴＤＭ業務をシミュレーションする目的を実現して、さらに既存ＰＷＥ３システムの機能をより完全化にしている。
【図面の簡単な説明】
【００２１】
【図１】ＰＷＥ３技術に係るＰＳＮにおける業務参照モデルの構造を示す図。
【図２】本発明に係わるＴＤＭデータ伝送を実現する方法におけるアップリンクデータの転送を示すフローチャートである。
【図３】本発明に係わるＴＤＭデータ伝送を実現する方法におけるダウンリンクデータの転送を示すフローチャートである。
【図４】本発明に係わるＴＤＭデータ伝送を実現する装置の構造を示す図である。
【発明を実施するための形態】
【００２２】
ＰＷＥ３業務参照モデルは、図１に示すように、前記ＰＥ１とＰＥ２が通信事業者のエッジ装置であり、ＣＥ１とＣＥ２はユーザのエッジ装置である。ＰＥ１とＰＥ２との間に１つ又は複数のＰＷ、即ちＰＷＥ３チャネルが設けられ、ＣＥとＰＥとの間にアクセスリンクがある。前記アクセスリンクはイーサネット（登録商標）であってよく、ＴＤＭネットワークなどの非イーサネット（登録商標）であってもよい。ＣＥ１とＣＥ２はそれぞれＰＥ１とＰＥ２に接続した後に、ＰＷを介してＣＥ１とＣＥ２の相互通信を実現する。ＰＷはデータの転送ルートを決定するＰＳＮトンネルにキャリングされる。ＣＥ１とＣＥ２が互いに通信する場合、ＣＥ１のユーザデータがＰＥ１に伝送された後に、ＰＷラベルパッケージされてデータメッセージになる。データメッセージはＰＷによって確立されたルートを介してＰＥ２に伝送され、ＰＥ２が受信されたデータメッセージに対して解凍操作を行い、ＰＷラベルを除去して、解凍されたユーザデータをＣＥ２に伝送する。図１に示すモデルの基本原理は実際応用において広く適用され、具体的な業務の必要によって該モデルの具体的な応用方式も異なっている。
【００２３】
本発明に係わる装置は、図１に示すＰＥのように、ローカルＣＥによってアップロードされたデータを相手側ＰＥに伝送して、相手側ＰＥによって送信されたデータをローカルＣＥに伝送することに用いられる。
【００２４】
本発明の基本思想は、ローカルユーザによって送信された物理層のＴＤＭデータをデータリンク層のデータに転換し、データリンク層データのフォーマットを判定して、異なるフォーマットのデータリンク層データに対して対応する前処理操作をして、前処理された異なるフォーマットのデータに対してＰＷパッケージをし、ＰＷラベルを加えた後に、相手側ＰＥに伝送することである。
【００２５】
相手側ＰＥによって送信されたデータパケットの表層ＰＷラベルを除去してから、ＰＷパケットの中のデータフォーマットを判定し、異なるデータフォーマットによってＰＷパケットに対して対応する解凍操作を実行する。解凍された異なるフォーマットのデータを対応するデータリンク層データに転換して、さらに物理層ＴＤＭデータに転換してから、ローカルユーザに送信する。
【００２６】
以下、図面および具体的な実施例を結び付けて、本発明をさらに詳しく説明する。
図２は本発明に係わるＴＤＭデータ伝送を実現する方法におけるアップリンクデータ転送のプロセスを示す図であり、図２に示すように、該プロセスを実現するステップは以下のとおりである。
【００２７】
ステップ２０１：ローカルユーザによって送信された物理層ＴＤＭデータをデータリンク層データに転換する。
具体的には、ローカルＰＥはローカルユーザによって送信された物理層ＴＤＭデータを受信してから、フレーム区切りとフレーム抽出、コード転換、セル処理、クロック抽出、チャネルマッピング、フレーミング解凍および物理層の監視アラームなどの操作を実行し、データリンク層のデータを取得する。ここで、実行される各操作の具体的なプロセスは既存技術であり、ここでは詳しく説明しない。
【００２８】
ステップ２０２：データリンク層データのフォーマットを判定し、異なるフォーマットのデータリンク層データに対して対応する前処理操作を実行する。
具体的には、転換によって得られたデータリンク層データパケットのパケットヘッドによってデータリンク層データのフォーマットを判定し、データリンク層データのフォーマットが通常のＴＤＭデータ、即ちデータリンク層データに他の情報を含まないＴＤＭデータである場合、前処理操作を実行する必要がない。データリンク層データはＰＯＳに基づいたポイントツーポイントプロトコル（ＰＰＰ）／ハイレベルデータリンク制御（ＨＤＬＣ）データである場合、データのＨＤＬＣフレームフォーマットを除去して、ＰＰＰメッセージを取得する。データリンク層データはＡＴＭに基づいた逆多重化技術（ＩＭＡ）のＡＴＭセルである場合、ＡＴＭセルに対して伝送収束（ＴＣ）層の処理を行い、セルヘッダーチェックサムとペイロードスクランブルの機能が実現され、対応するデータが得られる。
【００２９】
ステップ２０３：前処理された異なるフォーマットのデータに対してＰＷパッケージをして、ＰＷラベルを加えた後に、相手側ＰＥに伝送する。
具体的には、前処理された異なるフォーマットのデータに対してＰＷパッケージをして、ＰＷラベルを加えた後に、相手側ＰＥに伝送する。
ここで、前記データは通常のＴＤＭデータである場合、直接、ＣＥＳｏＰＳＮ、又はＳＡＴｏＰパッケージ方法を用い、ＴＤＭデータをパッケージする。前記データはＰＰＰメッセージである場合、ＰＰＰメッセージを終了し、ＰＰＰメッセージの中のＩＰパケットを取り出し、ＩＰパケットに対してＰＷパッケージをすることと、ＰＰＰメッセージに対して直接パッケージするという２種類のパッケージ方法がある。データはＡＴＭセルから転換されたものである場合、該データにセルカスケードと仮想回線（ＶＣ）交換操作をしてから、ＰＷパッケージをする。
【００３０】
図３は本発明に係わるＴＤＭデータ伝送を実現する方法におけるダウンリンクデータ転送のプロセスを示す図である。図３に示すように、当該プロセスの具体的な実現ステップは以下のとおりである。
【００３１】
ステップ３０１：相手側ＰＥによって送信されたＰＷパケットの表層ＰＷラベルを除去してから、ＰＷパケットの中のデータのフォーマットを判定し、異なるデータフォーマットによってＰＷパケットに対して対応する解凍操作を実行する。
具体的には、ローカルＰＥは相手側ＰＥによって送信されたＰＷパケットの表層ＰＷラベルを除去して、ＰＷパケットを得る。その後、ＰＷパケットヘッドによってＰＷパケットの中のデータのフォーマットを判定し、ＴＤＭデータパケットのフォーマットによって、例えば通常のＴＤＭデータ、ＰＰＰメッセージフォーマットのデータ、又はＩＭＡに対応するデータなどの異なるフォーマットのデータが解凍される。
【００３２】
ステップ３０２：解凍された異なるフォーマットのデータを対応するデータリンク層データに転換する。
具体的には、解凍されたデータは通常のＴＤＭデータである場合、ＴＤＭデータに対して転換操作を実行する必要がなく、即ち、この時のデータはデータリンク層データである。解凍されたデータはＰＰＰメッセージである場合、ＰＰＰメッセージに対してＨＤＬＣフレームフォーマットを加え、ＰＰＰ／ＨＤＬＣパケットにパッケージして、データリンク層データを得る。解凍されたデータはＩＭＡに対応するデータである場合、データにＴＣ層処理を行い、対応するデータリンク層データを得る。
【００３３】
ステップ３０３：データリンク層データを物理層のＴＤＭデータに転換してから、ローカルユーザに伝送する。
具体的には、転換によって得られたデータリンク層データに対してコード変換とフレーミングパッケージなどの操作を実行し、物理層のＴＤＭデータを得て、ローカルユーザに伝送する。
【００３４】
ここでは、ダウンリンクにおいて、通常、クロックを抽出する必要がなく、アップリンクにおいて抽出されたクロックを用い、アップリンク／ダウンリンクのデータ伝送をする。
【００３５】
図４は本発明に係わるＴＤＭデータ伝送を実現する装置の構造を示す図である。図４に示すように、該装置は、物理層処理モジュール、データ転換モジュール、パッケージ解凍モジュール及び交換モジュールを含む。
【００３６】
前記物理層処理モジュールは、アップリンクにおいて、ローカルユーザによって送信された物理層ＴＤＭデータをデータリンク層データに転換し、データ転換モジュールに伝送することと、ダウンリンクにおいて、データ転換モジュールによって送信されたデータリンク層データを物理層ＴＤＭデータに転換し、ローカルユーザに送信することに用いられる。
【００３７】
前記データ転換モジュールは、アップリンクにおいて、物理層処理モジュールによって送信されたデータリンク層データのフォーマットを判定し、異なるフォーマットのデータリンク層データに対して対応する前処理操作を実行して得られるデータをパッケージ解凍モジュールに伝送することと、ダウンリンクにおいて、パッケージ解凍モジュールによって送信された解凍済みの異なるフォーマットのデータを対応するデータリンク層データに転換し、物理層処理モジュールに伝送することとに用いられる。
【００３８】
前記パッケージ解凍モジュールは、アップリンクにおいて、データ転換モジュールによって送信された前処理済みの異なるフォーマットのデータ対してＰＷパッケージ操作をして、ＰＷパケットを交換モジュールに伝送することと、ダウンリンクにおいて、交換モジュールによって送信されたＰＷパケットにおけるデータのフォーマットを判定し、異なるフォーマットによってＰＷパケットに対して対応する解凍操作を実行して、解凍されたデータをデータ転換モジュールに伝送することとに用いられる。
【００３９】
前記交換モジュールは、アップリンクにおいて、パッケージ解凍モジュールによって送信されたＰＷパケットに対してＰＷラベルを加えて、相手側ＰＥに伝送することと、ダウンリンクにおいて、相手側ＰＥによって送信されたＰＷパケットの表層のＰＷラベルを除去して、除去されたＰＷラベルのパケットをパッケージ解凍モジュールに伝送することとに用いられる。
【００４０】
上記は本発明の好適な実施例に過ぎず、本発明の保護範囲を限定するものではない。本発明の精神及び原則内のいかなる修正・同等取り替え及び改良などはすべて本発明の保護範囲に含まれる。
【図１】
2013516804.tif 000003
【図２】
2013516804.tif 000004
【図３】
2013516804.tif 000005
【図４】
2013516804.tif 000006
【国際調査報告】
2013516804.tif 000007
2013516804.tif 000008
2013516804.tif 000009
2013516804.tif 000010